(57)【特許請求の範囲】
【請求項１】
表示装置と、該表示装置に画像を表示させるための情報を出力する情報出力装置とを通信路を介して接続してなる情報出力システムであって、
前記表示装置は、切り替え可能な映像入力経路を介して、該表示装置に対する入力映像を表示画面に表示する制御を行う制御部と、他の情報処理装置との通信を可能とする通信手段とを有し、
前記制御部は、前記情報出力装置を出力元としない入力経路で入力する映像を表示している際に、前記情報出力装置から出力された前記画像を表示させるための情報に基づいて、表示画像を生成し、前記情報出力装置を出力元としない映像に重畳させて前記生成した表示画像を表示し、
前記画像を表示させるための情報に基づいて生成した表示画像を前記情報処理装置に送信し、該情報処理装置から送信された操作入力情報を受信して、前記画像を表示させるための情報に基づいて生成した画像に対する指示入力として制御を行うことを特徴とする情報出力システム。
【請求項２】
請求項１に記載の情報出力システムにおいて、
前記情報出力装置は、前記表示装置に表示させるための情報を生成する表示情報生成部と、該表示情報生成部が生成した情報を前記表示装置に出力する表示情報出力部とを有し、
該表示情報出力部は、前記表示装置に対して、該表示装置の前記切り替え可能な映像入力経路とは異なる通信路を使用して、前記表示装置に表示させるための情報を送信することを特徴とする情報出力システム。
【請求項３】
請求項１に記載の情報出力システムにおいて、
前記情報出力装置は、前記表示装置に表示させるための情報を生成する表示情報生成部と、該表示情報生成部が生成した情報を前記表示装置に出力する表示情報出力部とを有し、
該表示情報出力部は、前記表示装置に対して、該表示装置の前記切り替え可能な映像入力経路と同じ通信路を使用して、前記表示装置に表示させるための情報を送信することを特徴とする情報出力システム。
【請求項４】
請求項２または３に記載の情報出力システムにおいて、
前記表示情報生成部は、放送信号から取得した情報に基づいて前記表示装置に表示させるための情報を生成することを特徴とする情報出力システム。
【請求項５】
請求項２または３に記載の情報出力システムにおいて、
前記情報出力装置は、通信ネットワーク上のコンピュータシステムにより提供される情報提供サービスにアクセスする手段を有し、
前記表示情報生成部は、前記情報提供サービスから取得した情報に基づいて前記表示装置に表示させるための情報を生成することを特徴とする情報出力システム。
【請求項６】
請求項２〜５のいずれか１に記載の情報出力システムにおいて、
前記表示情報生成部は、ユーザ操作を可能とするためのユーザインタフェース画像を、前記表示画像として表示させるための情報として生成し、
前記表示装置の制御部は、前記表示画面に表示した前記ユーザインタフェース画像に対する操作入力があった場合、前記情報出力装置に対して該操作入力に応じた情報を送信することを特徴とする情報出力システム。
【請求項７】
請求項２〜５のいずれか１に記載の情報出力システムにおいて、
前記情報出力装置は、可搬型の記録媒体を情報の読み取り可能に装着する記録媒体装着部、および／または映像を記録する内蔵の記録装置を有し、
前記表示情報生成部は、前記記録媒体または前記記録装置から読み出した映像の属性情報に基づいて、前記表示装置に画像を表示させるための情報を生成することを特徴とする情報出力システム。
【請求項８】
請求項７に記載の情報出力システムにおいて、
前記表示情報生成部は、前記記録媒体または前記記録装置に記録された映像の再生操作を可能とするユーザインタフェース画像を、前記表示画像として表示させるための情報として生成し、
前記表示装置の制御部は、前記表示画面に表示した前記ユーザインタフェース画像に対して、映像の再生を指示する入力があった場合、前記情報出力装置に対して、映像の再生出力を要求する情報を送信し、前記映像の入力経路を、前記要求した映像の再生出力を入力する経路に切り替えることを特徴とする情報出力システム。
【請求項９】
請求項８に記載の情報出力システムにおいて、
前記情報出力装置は、前記表示装置から送信された再生出力を要求する情報に従って、前記内蔵の記録装置または前記可搬型の記録媒体に記録されている映像を再生する映像再生部と、前記表示装置が切り替えた入力経路を介して、前記再生した映像を出力する映像出力部とを有する、ことを特徴とする情報出力システム。
【請求項１０】
請求項８または９に記載の情報出力システムにおいて、
前記表示装置の制御部は、前記表示装置に画像を表示させるための情報に基づいて、前記情報出力装置が内蔵する前記記録装置、または前記可搬型の記録媒体に記録された映像のリストと、該リストから選択されている映像のサムネイル画像とを前記表示画像として表示し、前記リストから選択されている映像の再生を指示する入力があった場合、前記情報出力装置に対して、映像の再生出力を要求する情報を送信することを特徴とする情報出力システム。
【請求項１１】
請求項１０に記載の情報出力システムにおいて、
前記情報出力装置の表示情報生成部は、前記記録装置または前記可搬型の記録媒体に記録されている映像のうち、前記表示装置に再生出力していない映像についてのリストを表示させるための情報を生成することを特徴とする情報出力システム。
【請求項１２】
請求項１〜１１のいずれか１に記載の情報出力システムにおいて、
前記表示装置に対して、複数の前記情報出力装置が接続され、
前記表示装置の制御部は、前記複数の情報出力装置のそれぞれから出力された前記表示装置に表示させるための情報に基づいて、それぞれの情報出力装置に対応する複数の表示画像を生成し、それぞれの該表示画像が重なり合わないように前記表示画面に同時に表示することを特徴とする情報出力システム。
【請求項１３】
表示装置で画像を表示させるための情報を出力する情報出力装置と通信路を介して接続する前記表示装置であって、
該表示装置は、映像の入力経路を切り替えて、該表示装置に対する入力映像を表示画面に表示する制御を行う制御部と、他の情報処理装置との通信を可能とする通信手段とを有し、
前記制御部は、前記情報出力装置を出力元としない入力経路で入力する映像を表示している際に、前記情報出力装置から出力された前記画像を表示させるための情報に基づいて、表示画像を生成し、前記情報出力装置を出力元としない映像に重畳させて前記生成した表示画像を表示し、
前記画像を表示させるための情報に基づいて生成した表示画像を前記情報処理装置に送信し、該情報処理装置から送信された操作入力情報を受信して、前記画像を表示させるための情報に基づいて生成した画像に対する指示入力として制御を行うことを特徴とする表示装置。
【発明の詳細な説明】
【技術分野】
【０００１】
本発明は、情報出力システム、および表示装置に関し、より詳細には、表示装置に接続された情報出力装置で生成された情報に基づく表示画面を表示装置に表示させるようにした情報出力システム、および表示装置に関する。
【背景技術】
【０００２】
例えば、映像記録再生装置などの情報出力装置を表示装置に接続し、映像記録再生装置で再生した映像を表示装置に表示させて視聴するシステムが一般的に使用されている。また、表示装置には、複数の映像記録再生装置を接続してユーザがこれらを使い分けて楽しむような場合もある。
上記のようなシステムにおいて、表示装置に接続された情報出力装置の動作状態や、情報出力装置が管理している映像コンテンツの属性情報などを表示装置に表示できるようにしたものがある。この場合、外部装置から送信された情報に従って表示装置の表示画面にて外部装置の状態等を知ることができて便利である。
【０００３】
また、従来から、映像記録再生装置等の情報出力装置を操作するためのユーザインタフェース画像を表示装置に表示させ、ユーザが表示装置を操作するためのリモコン等を使用して情報出力装置の操作を行うことができるものがある。ここではユーザは、表示装置を操作する感覚で情報出力装置の操作を容易に行うことができる。
【０００４】
表示装置に外部接続された情報出力装置で管理するコンテンツの属性情報の表示技術に関し、例えば特許文献１には、記録したコンテンツに関連する作品名、曲名などのコンテンツ関連情報をサーバから取得する情報処理装置が開示されている。この情報処理装置は、情報記録媒体に記録されたコンテンツに対応するコンテンツ証明書からコンテンツ証明書識別子を取得して、サーバに送信し、サーバにおいてコンテンツ証明書識別子に基づいてコンテンツを特定して、コンテンツ対応の曲名や作品名、あるいはジャケット写真などの様々なコンテンツ関連情報を取得してユーザデバイスに提供するようにしている。
【先行技術文献】
【特許文献】
【０００５】
【特許文献１】特開２００９−１５８０９１号公報
【発明の概要】
【発明が解決しようとする課題】
【０００６】
上述したように、表示装置に接続された情報出力装置の動作状態や、情報出力装置が管理している映像コンテンツの属性情報などを表示装置に表示する場合、従来では原則として表示装置に対する画像情報の入力経路をその情報出力装置からの入力経路に切り替える必要があった。例えばユーザが、テレビなどの表示装置で放送波を受信して視聴しているときに、映像記録再生装置で保持しているユーザインタフェース画像を表示させたい場合、表示装置で表示させる映像ソースの入力経路を切り替えて、映像記録再生装置から出力されたユーザインタフェース画像を表示させる必要があった。
【０００７】
特許文献１の技術のように、情報処理装置が管理するコンテンツの関連情報をサーバから取得した場合であっても、表示装置に表示する場合には、他の入力経路から視聴中のコンテンツを切り替えて、情報処理装置から出力した画像を表示させる必要がある。
このように、従来の技術では、情報出力装置で固有に生成されるユーザインタフェース画像などの表示画像を表示装置で表示する際、情報出力装置を出力元としない他の入力経路から入力した画像を表示中に、情報出力装置に固有の表示画像を入力切り替えすることなく同時に表示させることはできなかった。
【０００８】
本発明は、上述した実情に鑑みてなされたもので、情報出力装置が表示装置で表示させたい画像情報を情報出力装置から表示装置に出力した際に、情報出力装置を出力元としない他の入力経路から入力した画像を表示中に、情報出力装置に固有の表示画像を入力切り替えすることなく同時に表示させることができるようにした情報出力システム、および表示装置を提供することを目的とする。
【課題を解決するための手段】
【０００９】
上記課題を解決する為に、本発明の第１の技術手段は、表示装置と、該表示装置に画像を表示させるための情報を出力する情報出力装置とを通信路を介して接続してなる情報出力システムであって、前記表示装置は、切り替え可能な映像入力経路を介して、該表示装置に対する入力映像を表示画面に表示する制御を行う制御部と、他の情報処理装置との通信を可能とする通信手段とを有し、前記制御部は、前記情報出力装置を出力元としない入力経路で入力する映像を表示している際に、前記情報出力装置から出力された前記画像を表示させるための情報に基づいて、表示画像を生成し、前記情報出力装置を出力元としない映像に重畳させて前記生成した表示画像を表示し、前記画像を表示させるための情報に基づいて生成した表示画像を前記情報処理装置に送信し、該情報処理装置から送信された操作入力情報を受信して、前記画像を表示させるための情報に基づいて生成した画像に対する指示入力として制御を行うことを特徴としたものである。
【００１０】
第２の技術手段は、第１の技術手段において、前記情報出力装置が、前記表示装置に表示させるための情報を生成する表示情報生成部と、該表示情報生成部が生成した情報を前記表示装置に出力する表示情報出力部とを有し、該表示情報出力部は、前記表示装置に対して、該表示装置の前記切り替え可能な映像入力経路とは異なる通信路を使用して、前記表示装置に表示させるための情報を送信することを特徴としたものである。
【００１１】
第３の技術手段は、第１の技術手段において、前記情報出力装置が、前記表示装置に表示させるための情報を生成する表示情報生成部と、該表示情報生成部が生成した情報を前記表示装置に出力する表示情報出力部とを有し、該表示情報出力部が、前記表示装置に対して、該表示装置の前記切り替え可能な映像入力経路と同じ通信路を使用して、前記表示装置に表示させるための情報を送信することを特徴としたものである。
【００１２】
第４の技術手段は、第２または第３の技術手段において、前記表示情報生成部が、放送信号から取得した情報に基づいて前記表示装置に表示させるための情報を生成することを特徴としたものである。
【００１３】
第５の技術手段は、第２または第３の技術手段において、前記表示情報生成部が、放送信号から取得した情報に基づいて前記表示装置に表示させるための情報を生成することを特徴としたものである。
【００１４】
第６の技術手段は、第２〜第５のいずれか１の技術手段において、前記表示情報生成部が、ユーザ操作を可能とするためのユーザインタフェース画像を、前記表示画像として表示させるための情報として生成し、前記表示装置の制御部は、前記表示画面に表示した前記ユーザインタフェース画像に対する操作入力があった場合、前記情報出力装置に対して該操作入力に応じた情報を送信することを特徴としたものである。
【００１５】
第７の技術手段は、第２〜第５のいずれか１の技術手段において、前記情報出力装置が、可搬型の記録媒体を情報の読み取り可能に装着する記録媒体装着部、および／または映像を記録する内蔵の記録装置を有し、前記表示情報生成部が、前記記録媒体または前記記録装置から読み出した映像の属性情報に基づいて、前記表示装置に画像を表示させるための情報を生成することを特徴としたものである。
【００１６】
第８の技術手段は、第７の技術手段において、前記表示情報生成部が、前記記録媒体または前記記録装置に記録された映像の再生操作を可能とするユーザインタフェース画像を、前記表示画像として表示させるための情報として生成し、前記表示装置の制御部は、前記表示画面に表示した前記ユーザインタフェース画像に対して、映像の再生を指示する入力があった場合、前記情報出力装置に対して、映像の再生出力を要求する情報を送信し、前記映像の入力経路を、前記要求した映像の再生出力を入力する経路に切り替えることを特徴としたものである。
【００１７】
第９の技術手段は、第８の技術手段において、前記情報出力装置が、前記表示装置から送信された再生出力を要求する情報に従って、前記内蔵の記録装置または前記可搬型の記録媒体に記録されている映像を再生する映像再生部と、前記表示装置が切り替えた入力経路を介して、前記再生した映像を出力する映像出力部とを有する、ことを特徴としたものである。
【００１８】
第１０の技術手段は、第８または第９の技術手段において、前記表示装置の制御部が、前記表示装置に画像を表示させるための情報に基づいて、前記情報出力装置が内蔵する前記記録装置、または前記可搬型の記録媒体に記録された映像のリストと、該リストから選択されている映像のサムネイル画像とを前記表示画像として表示し、前記リストから選択されている映像の再生を指示する入力があった場合、前記情報出力装置に対して、映像の再生出力を要求する情報を送信することを特徴としたものである。
【００１９】
第１１の技術手段は、第１０の技術手段において、前記情報出力装置の表示情報生成部は、前記記録装置または前記可搬型の記録媒体に記録されている映像のうち、前記表示装置に再生出力していない映像についてのリストを表示させるための情報を生成することを特徴としたものである。
【００２０】
第１２の技術手段は、第１〜第１１のいずれか１の技術手段において、前記表示装置に対して、複数の前記情報出力装置が接続され、前記表示装置の制御部は、前記複数の情報出力装置のそれぞれから出力された前記表示装置に表示させるための情報に基づいて、それぞれの情報出力装置に対応する複数の表示画像を生成し、それぞれの該表示画像が重なり合わないように前記表示画面に同時に表示することを特徴としたものである。
【００２７】
第１３の技術手段は、表示装置で画像を表示させるための情報を出力する情報出力装置と通信路を介して接続する前記表示装置であって、該表示装置は、映像の入力経路を切り替えて、該表示装置に対する入力映像を表示画面に表示する制御を行う制御部と、他の情報処理装置との通信を可能とする通信手段とを有し、前記制御部は、前記情報出力装置を出力元としない入力経路で入力する映像を表示している際に、前記情報出力装置から出力された前記画像を表示させるための情報に基づいて、表示画像を生成し、前記情報出力装置を出力元としない映像に重畳させて前記生成した表示画像を表示し、前記画像を表示させるための情報に基づいて生成した表示画像を前記情報処理装置に送信し、該情報処理装置から送信された操作入力情報を受信して、前記画像を表示させるための情報に基づいて生成した画像に対する指示入力として制御を行うことを特徴としたものである。
【発明の効果】
【００２８】
本発明によれば、情報出力装置が表示装置で表示させたい画像情報を情報出力装置から表示装置に出力した際に、情報出力装置を出力元としない他の入力経路から入力した画像を表示中に、情報出力装置に固有の表示画像を入力切り替えすることなく同時に表示させることができるようにした情報出力システム、および表示装置を提供することができる。
【図面の簡単な説明】
【００２９】
【図１】本発明に係る情報出力システムの機能構成の一例を示す図である。
【図２】本発明に係る表示装置を具体化したテレビ受像機の構成例を示すブロック図である。
【図３】本発明に係る情報出力装置を具体化した記録再生装置の構成例を示すブロック図である。
【図４】本発明に係る情報出力システムの第１の実施例を説明するための図である。
【図５】本発明に係る情報出力システムの第１の実施例を説明するための他の図である。
【図６】第１の実施例における各装置間の処理の流れの一例を説明する図である。
【図７】テレビ受像器２にＯＳＤ表示させるＯＳＤ画像４００の他の構成例を示すものである。
【図８】第２の実施例における各装置間の処理の流れの一例を説明する図である。
【図９】第３の実施例の概略構成とテレビ受像機における表示画面例を示す図である。
【図１０】第４の実施例の概略構成とテレビ受像機、および情報処理装置における表示画面例を示す図である。
【図１１】本発明に係る情報出力システムの第５の実施例を説明するための図である。
【図１２】本発明に係る情報出力システムの第６の実施例を説明するための図である。
【図１３】本発明に係る情報出力システムの第６の実施例を説明するための他の図である。
【発明を実施するための形態】
【００３０】
図１は、本発明に係る情報出力システムの機能構成の一例を示す図である。情報出力システムは、表示装置１０と、表示装置１０に画像を表示させるための情報を出力する情報出力装置２０とを通信路を介して接続してなるものである。
表示装置１０は、装置全体を制御する制御部１１、画像を表示する表示部１２、情報出力装置２０との間で双方向の情報通信を行う情報通信部１４、情報出力装置から出力された映像を受信する映像受信部１５、およびユーザの操作入力を受け付ける操作入力部１３を有する。
【００３１】
制御部１１は、表示部１２に表示させる映像の入力経路を切り替える。入力経路としては、例えば、映像受信部１５で受信する情報出力装置２０からの入力経路があり、この他、映像受信部１５には図示しない複数の外部入力端子が備えられ、それぞれの外部入力端子を制御部１１の制御によって切り替えて、特定の入力経路から入力する映像を表示装置１０に表示させる。また、テレビ受像機のように図示しない内蔵チューナがある場合、アンテナを介したチューナからの経路も切り替え対象となる。この他表示装置１０は、例えばスマートフォンなどの情報処理装置との間で通信を行う手段を設けることができる。
【００３２】
制御部１１は、情報出力装置２０を出力元としない入力経路で入力する映像を表示している際に、情報出力装置２０から出力された、画像を表示させるための情報に基づいて表示画像を生成し、情報出力装置２０を出力元としない映像に重畳させて表示部１２に表示させる。画像を表示させるための情報とは、例えば、情報出力装置が管理するコンテンツの再生指示を可能とするユーザインタフェース画像を生成するための情報であったり、情報出力装置の画像の取り込み状態やディスク媒体の装着状態など、情報出力装置の動作状態を示す情報であったり、情報出力装置で管理している映像の所定の属性情報であったりする。あるいは、画像を表示させるための情報は、放送信号から取得したＥＰＧ（電子番組表）や番組情報、データ放送の情報等であってもよく、あるいは、ネットワークコンピュータシステムから取得した情報等であってもよい。
なお、情報出力装置２０を出力元としない映像としては、前記したテレビ受像機の内蔵チューナからの映像の他、テレビ受像機の内部で生成するテレビ受像機の動作状態を示すユーザインタフェース画像等であってもよい。
【００３３】
情報出力装置２０は、例えば、映像を録画・再生する録画再生装置として構成されたもので、表示装置１０に表示させるための情報を生成する表示情報生成部２１、表示情報生成部２１が生成した情報を表示装置１０に出力する表示情報出力部２２、映像コンテンツ等の情報を記録した光ディスクなどの可搬型記録媒体を読み取り可能に装着する記録媒体装着部２３、ＨＤＤなどの内蔵記録媒体を有する記録装置２４、可搬型記録媒体や記録装置２４に記録されている映像情報を再生する映像再生部２５、映像再生部２５が再生した映像を表示装置１０に出力する映像出力部２６を有している。
【００３４】
表示装置１０と情報出力装置２０との通信路には、第１の通信路３１と第２の通信路３２とが使用される。第１の通信路３１は、情報出力装置２０で生成された、表示装置で画像を表示させるための情報を送信する通信路である。第１の通信路３１は、制御情報などの情報を双方向で通信する通信路として機能し、表示装置１０の制御部１１による入力切り替えに係わりなく、表示装置１０と情報出力装置２０との間で情報通信が可能となる。
【００３５】
また、第２の通信路３２は、情報出力装置２０で再生された再生映像を送信する通信路である。また、第２の通信路３２は、情報出力装置２０で再生された映像のみならず、情報出力装置２０で外部から取得した映像を送信するものであってもよい。例えば、情報出力装置２０をＳＴＢ（set top  box）として構成し、放送ネットワークから取得した映像を表示装置１０に送信するようなものであってもよい。
【００３６】
第２の通信路３２は大容量の映像データを送信可能で、表示装置１０における映像の外部入力の１つとして扱われ、表示装置１０の制御部１１による入力切り替えによって入力経路として選択された場合、第２の通信路３２を介して送信された映像を表示部１２に表示させることができる。
【００３７】
第１の通信路３１と第２の通信路３２と構成するものとして、ＨＤＭＩ（High-Definition Multimedia Interface）ケーブルを適用することができる。例えばこのケーブルは、ＨＤＭＩ ＨＥＣ対応のＨＤＭＩケーブルであり、ケーブル一本で映像・音声信号の伝送や、イーサネット（登録商標）信号の伝送、機器間制御用のコマンドを伝送することができる。この場合、第１の通信路３１は、ＨＤＭＩケーブルのＨＥＣラインである。ＨＤＭＩ規格では、２００９年５月（ＨＤＭＩ規格１．４）において、ＨＤＭＩケーブル上にイーサネットのプロトコルを伝送可能とするＨＥＣ（HDMI Ethernet Channel）の規定が追加されている。また、第２の通信路３２は、ＨＤＭＩケーブルのＴＭＤＳ（Transition Minimized Differential Signaling）ラインで、映像・音声ストリームを差動方式で伝送可能としている。
【００３８】
通信路の他の例としては、ＩＥＥＥ１３９４、ＵＳＢ（Universal Serial Bus）、ＬＡＮ（Local Area Network）、電力線通信（ＰＬＣ：Power Line Communications）、無線通信、光通信等を適用してもよい。
また、他の例では、同じ通信路を使用して、表示装置で画像を表示させるための情報と、情報出力装置２０で再生され、もしくは取得された映像とを同じ通信路で送信してもよい。例えば、表示装置１０で入力切り換え可能な通信路（第２の通信路３２に相当）と、表示装置１０の入力設定に係わらず制御信号の双方向通信が可能な通信路（第１の通信路３１に相当）が同一の通信路（例えばＬＡＮケーブル）などによって実現可能な場合には、これらを同一の通信路で送信するようにしてもよい。
【００３９】
本発明に係る情報処理システムでは、情報出力装置２０の表示情報生成部２１において、表示装置で表示させたい画像、例えば、情報出力装置における動作の状態や記憶している映像の属性情報を示す画像、あるいは情報出力装置を操作するためのユーザインタフェース画像を表示できる情報等を生成する。このような情報は、例えばＸＭＬやＪａｖａＳｃｒｉｐｔを使用して記載され、この記載情報を表示装置１０に第１の通信路３１を介して送信する。また、第１の通信路３１では、情報出力装置で管理している映像のサムネイル画像を送信することもできる。サムネイル画像は静止画サムネイルであってもよく、また動画サムネイルとすることもできる。
【００４０】
情報出力装置２０の表示情報生成部２１は、表示装置１０と接続したときに、予め表示装置１０の解像度情報を取得して保持しておく。そして、表示装置で画像を表示させるための情報を生成するときに、表示装置１０の解像度情報を利用して、表示装置１０に表示させる画像の位置および大きさの情報を決定する。表示情報出力部２２は、当該画像を表示させるための情報とともに、その表示位置および大きさの情報を含めて送信する。
【００４１】
第１の通信路３１を介して情報を受信した表示装置１０では、制御部１１にてその情報を解析し、表示画像データを生成して表示部１２に表示させる。このときに、表示部１２対して、情報出力装置２０の第２通信路３２以外の入力経路が選択されている場合、例えば、内蔵チューナによる受信映像が表示されている場合であっても、その選択された入力経路から入力している映像に、情報出力装置２０が表示させたい表示画像を重畳して、ＯＳＤ（on screen display）画像として表示させることができる。
【００４２】
情報出力装置２０が表示させたい画像としては、可搬型の記録媒体や記録装置２４からに記録されている映像のリストやサムネイルとすることができる。あるいは、情報出力装置２０の記録媒体装着部２３に可搬型の記録媒体が装着された際に、記録媒体が装着されたことを示す情報を表示させる画像とすることができる。あるいは、情報出力装置が通信情報端末などから画像データを取得している状態を示す画像とすることができる。また、放送信号から取得した情報に基づいて、表示装置に表示させるための情報を生成してもよい。あるいは、ネットワーク上のコンピュータシステムにより提供される情報提供サービスから取得した情報に基づいて、表示装置に表示させるための情報を生成してもよい。このように、情報出力装置２０では、種々の入力ソースから取得した情報や、自身が保持している情報に基づいて、表示装置１０で表示させるための情報を生成することができる。
【００４３】
また、表示装置１０に表示させる画像として、ユーザ操作に対応したユーザインタフェース画像を構成することができる。そして表示装置１０の表示部１２に表示したユーザインタフェース画像に対して、特定の映像を再生する操作入力等、特定の指示を行う操作入力があった場合、制御部１１は、第１の通信路３１を使用して、情報出力装置２０に対して映像の再生出力を要求や、特定の操作入力に対応した操作情報を送信する。
【００４４】
そして情報出力装置２０の映像再生部２５は、表示装置１０から送信された再生出力を要求する情報に従って、記録装置２４または可搬型の記録媒体に記録されている映像を再生し、映像出力部２６が、表示装置が切り替えた第２の通信路３２を介して、再生した映像を出力する。また、映像に付随した音声もその映像とともに第２の通信路３２にて送信される。あるいは、表示装置１０から送信された特定の操作入力に従って、所定の情報出力処理を行う。例えば、情報出力装置２０が接続する放送ネットワークなどを切り替えて、放送ネットワークから取得した映像を出力する処理等を行う。
【００４５】
ここで、表示装置１０の制御部１１は、映像の入力経路を第２の通信路３２に切り替えて、第２の通信路３２から入力する映像を現在表示中の映像に切り換えて表示する。入力切り換えは、情報出力装置２０から送信された切り換え要求に基づいて行うものであってもよく、また、表示装置１０から情報出力装置２０に映像の再生要求や映像出力要求を送信したときに、切り替えるようにしてもよい。また、第１と第２の通信路を共通の通信路としている場合には、その共通の通信路に入力を切り換える。
【００４６】
図２は、本発明に係る表示装置を具体化したテレビ受像機の構成例を示すブロック図である。本発明に係る表示装置は、図２に示すようなテレビ受像機１に適用することができる。
本例では、テレビ受像機１は、３つのＨＤＭＩコネクタ１０１ａ〜１０１ｃを備え、ＨＤＭＩ切り替えスイッチ１０１ｄにより入力が切り替えられる。ＨＤＭＩレシーバ１００は、ＨＤＭＩコネクタ１０１ａ〜１０１ｃを介してＨＤＭＩケーブル内のＴＭＤＳラインと接続され、図示しない情報出力装置２０から送信された映像・音声のストリームを受信する。また、ＨＤＭＩ以外の外部入力を受け付けるものとして外部入力端子１０１ｅ，１０１ｆを備える。
【００４７】
ＢＤドライブ１０２は、blu-ray（登録商標）ディスクを装着して、blu-rayディスクに記憶された映像・音声を読み出して出力する。チューナ１０３はアンテナを介して受信した放送波を選局し、復調して出力する。また、ＩＰ放送チューナ１０４は、イーサネットＩ／Ｆ１７を介して受信したＩＰ（Internet Protocol ）放送を選局して出力する。衛星放送チューナ１０５は、映像放送用アンテナを介して受信した衛星方法波を選局し、復調して出力する。
イーサネットＩ／Ｆ１７は、ツイストペアケーブルによって、ＩＰネットワークに接続するためのインタフェースであり、インターネットやＰＣ、サーバ等とテレビ受像機１とをＩＰネットワークで接続する。
【００４８】
また、テレビ受像機１は、制御部であるＣＰＵ１１８、記憶メモリであるＲＯＭ１１６およびＲＡＭ１１７などを備え、さらにリモコンなどと通信する赤外線受光部１１９、撮像手段であるカメラ１２０、人感センサ１２１などを備える。
【００４９】
映像セレクタ１０７は、ＨＤＭＩレシーバ１００、外部入力端子１０１ｅ，１０１ｆ、ＢＤドライブ１０２、チューナ１０３、ＩＰ放送チューナ１０４、および衛星放送チューナ１０５から出力された映像の入力経路をＣＰＵ１１８の制御に従って切り替えて、映像処理回路１０８に出力する。映像処理回路１０８では、入力した映像を適切に表示するための画質調整処理や画像変換処理等を行って出力する。
また、ＯＳＤ生成部１０６は、入力映像に重畳させてＯＳＤ表示を行わせるためのＯＳＤ画像を生成する。映像処理回路１０８から出力された映像信号には、ＯＳＤ生成部１０６で生成されたＯＳＤ画像が重畳され、ＬＣＤコントローラ１０９に入力する。
【００５０】
ＯＳＤ生成部１０６で生成されるＯＳＤ画像は、予めテレビ受像機１で用意されているメニュー画像等とともに、図示しない情報出力装置からＨＤＭＩケーブルを介して送信された情報（表示装置に表示させるための情報）に基づいて生成した画像が適用される。後者の情報処理装置から送信された情報の場合、ＣＰＵ１１８では、例えばＸＭＬやＪａｖａＳｃｒｉｐｔで記載された情報を解析し、その情報に従ってＯＳＤ生成部１０６にてＯＳＤ画像を生成する。
【００５１】
映像処理回路１０８から出力され、ＯＳＤ生成部１０６で生成されたＯＳＤ画像が重畳された映像信号は、ＬＣＤコントローラ１０９にてＬＣＤ（Liquid Crystal Display）における表示に適した形態に変換され、ＬＣＤ１１０にて映像表示される。
【００５２】
音声セレクタ１１１は、ＨＤＭＩレシーバ１００、外部入力端子１０１ｅ，１０１ｆ、ＢＤドライブ１０２、チューナ１０３、ＩＰ放送チューナ１０４、および衛星放送チューナ１０５から出力された音声の入力経路をＣＰＵ１１８の制御に従って切り替えて、音声処理回路１１２に出力する。音声処理回路１１２では、入力した音声に所定の調整処理を適宜行って出力する。出力された音声は、デジタルアンプ１１３で増幅されスピーカ１１４から音声出力される。
【００５３】
図３は、本発明に係る情報出力装置を具体化した録画再生装置の構成例を示すブロック図である。本発明に係る情報出力装置は、図３に示すような録画再生装置２に適用することができる。
録画再生装置２は、例えばＢＤレコーダ、またはＤＶＤレコーダとして構成することができる。チューナ２０２は、アンテナ２０１を介して受信した放送波を選局して復調する。ＨＤＭＩインタフェース部２０７は、ＨＤＭＩケーブルを接続するインタフェース部である。ＨＤＭＩ信号処理部２０３は、ＨＤＭＩケーブルを介して送受信する信号処理を行う。
【００５４】
光ディスクドライブ２０９は、ＢＤやＤＶＤなどの光ディスクを装着し、光ディスクに記録されている情報を読み取る。光ディスクドライブ２０９は、図１の記録媒体装着部２３に相当するものである。リモコン受光部２０５は、リモコンからの光操作信号を受光する。電子番組表取得部２０８は、受信した放送信号から電子番組表を取得する。操作部２１０は、操作パネルなどに備えられる操作キーやボタン等である。記憶部２０６は、ＨＤＤなどの内蔵型の記録装置を構成する。
【００５５】
制御部２０４は、装置全体を制御するもので、光ディスクドライブ２０９に装着された光ディスクに記憶した映像コンテンツを再生し、ＨＤＭＩインタフェース部２０７を介して表示装置に送信する。また、制御部２０４は、表示装置で表示させるための情報を生成してＨＤＭＩインタフェース部２０７を介して出力する。図１の表示情報生成部２１、表示情報出力部２２、映像再生部２５の機能は、本例の制御部２０４によって実現される。
【００５６】
（実施例１）
図４および図５は、本発明に係る情報出力システムの第１の実施例を説明するための図である。本発明に係る情報出力システムの第１の実施例は、表示装置として放送波を受信可能なテレビ受像機１と、情報出力装置として光ディスク媒体を用いる録画再生装置２とがＨＤＭＩケーブルによる通信路３により接続された情報出力システムを構成するものである。この情報出力システムは、テレビ受像機１において、録画再生装置２からの出力以外の例えば放送番組を表示中に、録画再生装置２で録画されているコンテンツの内容をＯＳＤ表示させるものである。
【００５７】
図４に示すように、テレビ受像機１では、例えば放送番組の表示画面３００が表示されている。この画面３００に対して、録画再生装置２で録画されているコンテンツの内容を示すＯＳＤ画像４００を表示させる。このＯＳＤ画像４００は、ユーザ操作が可能なユーザインタフェース画面として構成されている。
ＯＳＤ画像４００には、再生ボタン４０１、リスト表示ボタン４０２、およびコンテンツの部分表示情報４０３が表示される。コンテンツの部分表示情報４０３は、録画再生装置２で録画されているコンテンツに含まれる静止画像かまたは動画像のサムネイル画像とすることができる。
【００５８】
部分表示情報４０３に表示させるコンテンツは、録画再生装置２に録画されているコンテンツのうち、ユーザが未視聴、つまりテレビ受像機１で表示されたことのないコンテンツに特定することができる。また、録画再生装置２に録画したコンテンツは、録画再生装置２のＨＤＤ等の内蔵記録装置に録画されたものと、録画再生装置２に装着されている光ディスクに録画されているものとを対象とすることができる。
【００５９】
ＯＳＤ画像４００を表示させるタイミングとしては、テレビ受像機１に対する所定のユーザ操作に従って、あるいは定期的な所定のタイミングで、あるいは録画再生装置に光ディスクが装着されたとき等のタイミングで適宜表示させることができる。
そしてユーザが、ＯＳＤ画像４００の再生ボタン４０１を選択する操作を行うと、部分表示情報４０３に表示されているコンテンツが録画再生装置２にて再生され、放送番組を表示している表示画面３００に表示される。
【００６０】
また、ユーザが、ＯＳＤ画像のリスト表示ボタン４０２を操作すると、図５に示すような画面に切り替えられる。ここでは、ＯＳＤ画像４００には、録画再生装置２で録画されているコンテンツのリスト４０４が表示される。そして、カーソルが選択中のコンテンツについて、部分表示情報４０３として静止画または動画が表示される。カーソルを移動させれば、部分表示情報４０３の表示内容もカーソルの位置に応じて変化する。
そしてユーザがリスト４０４のなかから所望のコンテンツの選択を確定する操作を行うと部分表示情報４０３に表示されているコンテンツが録画再生装置２にて再生され、放送番組を表示している表示画面３００に表示される。
【００６１】
図６は、第１の実施例における各装置間の処理の流れの一例を説明する図である。ここでは、リモコン、ＴＶ（テレビ受像機１）、録画再生装置２間における処理を説明する。リモコンはテレビ受像機１を操作するためのものである。
まず、ユーザによってリモコンが操作され、外部情報が選択される（ステップＳ１）。外部情報とは、テレビ受像機１の外部に接続されている機器に記録保持されているコンテンツ情報であり、この外部情報をテレビ受像機１で表示させるための所定の操作をリモコンに対して行う。
【００６２】
リモコンからの指示を受けてテレビ受像機１は、録画再生装置に対して情報リクエストを送る（ステップＳ２）。情報リクエストは、ＨＤＭＩケーブルのＨＥＣラインを通じて送信される。そして録画再生装置２は、コンテンツ情報およびコンテンツ部分情報を生成する（ステップＳ３）。コンテンツ情報およびコンテンツ部分情報は、録画再生装置２がテレビ受像機１に画像を表示させるための情報である。この場合、テレビ受像機１に表示させる画像は、録画再生装置２のＨＤＤに録画されているか、もしくは録画再生装置に装着された光ディスクに録画されているコンテンツを示す画像で、図４に示すようなＯＳＤ画像４００である。
【００６３】
ここでは、コンテンツ情報は、部分表示情報４０３を除くＯＳＤ画像４００全体を生成するための情報で、コンテンツ部分表示情報は、部分表示情報４０３を表示させる情報である。これらの情報は、例えばＸＭＬ言語を使用して構成が記載され、さらにＪａｖａＳｃｒｉｐｔを使用して部分表示させる情報を記載させることで、録画再生装置２側の意図に従ってＯＳＤ画像４００を生成させて表示させるとともに、そのＯＳＤ画像４００に対してコンテンツの静止画や動画サムネイルを動的に変化させながら表示させることができるようになる。また、録画再生装置２では、予めテレビ受像機１から取得した当該テレビ受像機１の解像度情報を保持し、コンテンツ情報およびコンテンツ部分情報を生成するときに、テレビ受像機１の解像度情報を利用して、テレビ受像機１に表示させる画像の位置および大きさの情報を決定する。そして生成されたコンテンツ情報が、ＨＥＣラインを通じてテレビ受像機１に送信される（ステップＳ４）。このとき、上記テレビ受像機１に表示させる画像の位置、大きさの情報も送信される。
【００６４】
テレビ受像機１では、送信されたコンテンツ情報を解析してＯＳＤ画像４００を生成し、現在表示している表示画面３００に重畳させてＯＳＤ表示させる（ステップＳ５）。さらに、録画再生装置２では、コンテンツ部分情報をＨＥＣラインを通じて送信し（ステップＳ６）、テレビ受像機１ではこれを解析してＯＳＤ画像４００の中に部分表示情報４０３を動的に表示させる。画面内の表示位置は、録画再生装置２から送信された画像の表示位置、大きさの情報に基づく。このときの表示状態は、図４に示すようなＯＳＤ画像４００の表示状態であり、ユーザはこのまま部分表示情報４０３に表示されているコンテンツの再生を選択してもよく、あるいは図５に示すようなコンテンツリストを表示させた上で、適宜任意のコンテンツを選択して再生させるようにしてもよい。
【００６５】
ここでは、ユーザはリモコンを使用してコンテンツの再生を選択すると（ステップＳ８）、テレビ受像機１は、録画再生装置２に対して、コンテンツの再生を指示する（ステップＳ９）。この再生指示情報は、ＨＥＣラインを通じて送信される。
この再生指示情報を受けて録画再生装置２は、指示されたコンテンツを再生し、テレビ受像機１に送信する（ステップＳ１１）。再生コンテンツは、ＨＥＣラインではなく、ＨＤＭＩで映像・音声ストリームを送信するためのＴＭＤＳラインを通じて送信される。そして録画再生装置２は、テレビ受像機１に対して入力切り替えを指示するメッセージをＨＥＣラインを通じて送信する（ステップＳ１２）。テレビ受像機１では、これまで表示していた表示画面３００の入力を録画再生装置２からの入力に切り替えて（ステップＳ１３）、録画再生装置２で再生されたコンテンツを表示出力する。
【００６６】
図７は、テレビ受像機１にＯＳＤ表示させるＯＳＤ画像４００の他の構成例を示すものである。ＯＳＤ画像４００としては、図７に示すようなものであってもよい。ここでは、ＯＳＤ画像４００には、コンテンツに含まれる静止画像または動画像を表示する部分表示情報４１６が表示され、さらに、部分表示情報４１６に表示されているコンテンツの再生を指示するｐｌａｙボタン４１１、部分表示情報４１６に表示されているコンテンツの次のコンテンツを表示させるためのＮｅｘｔボタン４１２、部分表示情報４１６に表示されている画像をコンテンツの再生時間の３０秒分だけ進めるための３０ｓスキップボタン４１３、部分表示情報４１６に表示されている画像をコンテンツの再生時間の１０秒分だけ戻すための１０ｓバックボタン４１４、録画コンテンツのリスト表示を指示するリストボタン４１５が表示される。このユーザインタフェース画面を使用して、ユーザは上記と同様の動作で録画再生装置２で管理されている録画コンテンツの選択・再生処理を実行することができる。
【００６７】
（実施例２）
本発明に係る第２の実施例は、第１の実施例と同様に、テレビ受像機１において、録画再生装置２からの出力以外の例えば放送番組を表示中に、録画再生装置２で録画されているコンテンツの内容をＯＳＤ表示させるものであるが、録画再生装置２がコンテンツ部分情報を生成する際に、クラウドコンピューティング（cloud computing）によるネットワーク（特にインターネット）上のサーバにアクセスし、コンテンツ部分情報を検索して取得するようにしたものである。クラウドコンピューティングは、ネットワーク上のコンピュータシステムにより提供される情報提供サービスのことを指す。
【００６８】
図８は、第２の実施例における各装置間の処理の流れの一例を説明する図である。図６の処理と異なる部分は、ステップＳ２でテレビ受像機１からの情報リクエストを受信した録画再生装置２が、クラウドを使用してコンテンツ部分情報を検索することにある。つまりステップＳ２の後、録画再生装置２は、クラウドに対してコンテンツ部分情報リクエストを行う（ステップＳ２−１）。そしてクラウドにてコンテンツ部分情報を検索し（ステップＳ２−２）、コンテンツ部分情報を取得する（ステップＳ２−３）。
【００６９】
例えば、Blu-Rayディスクには、コンテンツのタイトルやコンテンツＩＤなどの映像の属性情報が保持されている。録画再生装置では、これらの属性情報を元にクラウドに当該コンテンツのサムネイル画像、登場人物情報、関連商品などを問い合わせて情報を得る。そしてクラウドから得られた情報を用いてコンテンツ部分情報を生成する。従って、本実施例を実現する録画再生装置は、ネットワークに接続してクラウドにアクセスできる機能を備えている。
【００７０】
録画再生装置２は、ステップＳ３にてコンテンツ情報およびコンテンツ部分情報を生成すると、以降は図６のステップＳ３以降と同様に、コンテンツ情報とコンテンツ部分情報とをテレビ受像機１に送信してＯＳＤ画像を表示させる。本実施例では、録画再生装置２がコンテンツ部分情報をクラウドで検索する処理以外は、図６の処理例と同様であるため、その繰り返しの説明は省略する。
【００７１】
（実施例３）
本発明に係る第３の実施例は、第１の実施例と同様に、テレビ受像機１において、録画再生装置２からの出力以外の例えば放送番組を表示中に、録画再生装置２で録画されているコンテンツの内容をＯＳＤ表示させるものであるが、本実施例では、テレビ受像機１に対して複数の録画再生装置が接続され、テレビ受像機１では、これら複数の録画再生装置から送信されたコンテンツ情報およびコンテンツ部分情報に従ってＯＳＤ画面を表示させるものである。
【００７２】
図９は、第３の実施例の概略構成とテレビ受像機における表示画面例を示す図である。図中、５はテレビ受像機１を操作するためのリモコン、６は放送ネットワーク、７はクラウドを示している。
本例では、テレビ受像機１には、２台の録画再生装置２ａ，２ｂが接続される。それぞれの録画再生装置２ａ，２ｂは、実施例１，もしくは実施例２に示す録画再生装置と同様の動作を行うことができる。つまりテレビ受像機１において、録画再生装置２ａ，２ｂからの出力以外のたとえば放送番組を表示中に、録画再生装置２ａ，２ｂで録画されているコンテンツの内容をＯＳＤ表示させるものである。この場合、録画再生装置２ａ，２ｂ側では、実施例２のように、コンテンツ部分情報をクラウド７を用いて検索したものであってもよい。また、テレビ受像機１に接続されるのは、複数の録画再生装置である必要はなく、ＰＣや携帯情報通信端末、ケーブルＳＴＢ（set top box）などの映像を出力する機器を適用することができる。また、各接続機器に応じて通信路３ａ，３ｂは、いずれもＨＤＭＩケーブルを用いてもよく、無線ＬＡＮや有線ＬＡＮなどの異なる通信方式の通信路を用いるものであってもよい。
【００７３】
テレビ受像機１では、それぞれの録画再生装置２から送られてきたコンテンツ情報およびコンテンツ部分情報に従って、ＯＳＤ画像４００ａ，４００ｂを生成し、その一部に静止画もしくは動画による部分表示情報４１６ａ，４１６ｂを表示させる。それぞれのＯＳＤ画像４００ａ，４００ｂは、例えば図７の例と同様にｐｌａｙボタン４１１ａ,４１１ｂ、部分表示情報４１６ａ,４１６ｂに表示されているコンテンツの次のコンテンツを表示させるためのＮｅｘｔボタン４１２ａ,４１２ｂ、部分表示情報４１６ａ,４１６ｂに表示されている画像をコンテンツの再生時間の３０秒分だけ進めるための３０ｓスキップボタン４１３ａ,４１３ｂ、部分表示情報４１６ａ，４１６ｂに表示されている画像をコンテンツの再生時間の１０秒分だけ戻すための１０ｓバックボタン４１４ａ，４１４ｂ、録画コンテンツのリスト表示を指示するリストボタン４１５ａ,４１５ｂが表示される。
【００７４】
このユーザインタフェース画像を使用して、ユーザは上記と同様の動作で、任意の録画再生装置２ａ，２ｂで管理されている録画コンテンツの選択・再生処理を実行することができる。例えば、図９では、テレビ受像機１の表示画面の上側に表示されているＯＳＤ画像４００ａが選択状態となっていて、選択状態が明示されるように例えば太枠で表示される。そして選択されているＯＳＤ画像４００ａからｐｌａｙボタン４１１ａを選択して決定すれば、対応する録画再生装置２ａに録画されているコンテンツが再生され、表示画面３００に表示される。
【００７５】
この場合、各録画再生装置２ａ，２ｂは、テレビ受像機１の表示画面内におけるＯＳＤ画像４００ａ，４００ｂの表示位置をそれぞれ指定してくる。従ってそれぞれのＯＳＤ画像４００ａ,４００ｂの表示位置が重ならない場合には、問題なくそれぞれのＯＳＤ画像４００ａ，４００ｂを表示することができるが、これらの表示位置が重なっているとうまく表示することができない。従って、テレビ受像機１では、２台の録画再生装置２ａ，２ｂが接続され、それぞれの録画再生装置２ａ，２ｂから送信されたコンテンツ情報に基づくＯＳＤ画像４００ａ，４００ｂの表示位置が重なった場合、表示位置を再構成してこれらＯＳＤ画像４００ａ，４００ｂが重ならないように表示させる。この処理は、図１の構成では制御部１１が行う。
【００７６】
（実施例４）
本発明に係る第４の実施例は、第３の実施例と同様に、テレビ受像機１において、録画再生装置２からの出力以外の例えば放送番組を表示中に、録画再生装置２で録画されているコンテンツの内容をＯＳＤ表示させるものであるが、本実施例では、テレビ受像機１では、録画再生装置２から送信されたコンテンツ情報およびコンテンツ部分情報をスマートフォンなどの情報処理装置に送信し、その情報処理装置によりテレビ受像機１における録画コンテンツの再生処理を実行可能とするものである。
【００７７】
図１０は、第４の実施例の概略構成とテレビ受像機、および情報処理装置における表示画面例を示す図である。図中、８はスマートフォンなどの情報処理装置で、その他、上述の図９と同様の機能を有する部分には、図９と同じ符号が付してある。
本例では、テレビ受像機１には、２台の録画再生装置２ａ，２ｂが接続されているが、録画再生装置が１台接続された構成であってもよく、３台以上接続されたものでもよい。また、上記の例と同様に情報出力装置としては録画再生装置に限るものではない。また、情報処理装置８としては、スマートフォンのような携帯型の情報通信端末や、ＰＣ（personal computer）等の情報処理装置など、テレビ受像機１から転送された画面を表示可能な表示画面をもった装置であれば適宜適用することができる。
【００７８】
この例で録画再生装置２ａ，２ｂは、実施例３に示す録画再生装置と同様の動作を行うことができる。つまりテレビ受像機１において、録画再生装置２ａ，２ｂからの出力以外の例えば放送番組を表示中に、録画再生装置２ａ，２ｂで録画されているコンテンツの内容をＯＳＤ表示させる。この場合、録画再生装置２ａ，２ｂ側では、実施例２のように、コンテンツ部分情報をクラウド７を用いて検索してもよい。
【００７９】
テレビ受像機１では、それぞれの録画再生装置２ａ,２ｂから送られてきたコンテンツ情報およびコンテンツ部分情報に従って、ＯＳＤ画像４００ａ,４００ｂを生成し、その一部に静止画もしくは動画による部分表示情報４１６ａ、４１６ｂを表示させる。実施例３のように、テレビ受像機１では、各録画再生装置２ａ,２ｂのＯＳＤ画像４００ａ，４００ｂの位置が重なる場合には、適宜これらが重ならないように再構成して表示させる。
【００８０】
そして、テレビ受像機１は、さらに情報処理装置８と通信する手段とを有し、情報処理装置８に対して、表示しているＯＳＤ画像４００ａ、４００ｂを送信し、情報処理装置８の表示部に表示させることができる。従って情報処理装置８には、ＯＳＤ画面に相当する操作画像８００の中に、静止画もしくは動画による部分表示情報８０６、ｐｌａｙボタン８０１、部分表示情報８０６に表示されているコンテンツの次のコンテンツを表示させるためのＮｅｘｔボタン８０２、部分表示情報８０６に表示されている画像をコンテンツの再生時間の３０秒分だけ進めるための３０ｓスキップボタン８０３、部分表示情報８０６に表示されている画像をコンテンツの再生時間の１０秒分だけ戻すための１０ｓバックボタン８０４、録画コンテンツのリスト表示を指示するリストボタン８０５が表示される。
【００８１】
また、情報処理装置８の表示画面には、録画再生装置２ａの操作画像、録画再生装置２ｂの操作画像、およびテレビ受像機１をコントロールするための放送制御画像を切り替えるための切り替えボタン８０７、情報端末装置のホーム画面に戻すためのホームボタン８０８、画面を前の表示状態に戻すためのバックボタン８０９が表示される。
【００８２】
この場合、例えば、テレビ受像機１に表示されている２つのＯＳＤ画像４００ａ，４００ｂのいずれかを、情報処理装置８からの操作によって選択可能とし、選択したＯＳＤ画像を情報処理装置８の表示画面に表示させ、情報処理装置８において操作することができる。情報処理装置８に対する操作情報は、テレビ受像機１を介して対応する録画再生装置２ａ，２ｂのいずれかに送信され、その録画再生装置では選択されたコンテンツの再生処理等を実行する。また、テレビ受像機１に１台の録画再生装置が接続されている場合には、その録画再生装置から送信されたコンテンツ情報等に基づいてテレビ受像機１が生成したＯＳＤ画像を、そのまま情報処理装置８に転送して表示させればよい。
【００８３】
また、本構成の他の制御例では、録画再生装置２ａ,２ｂから送信するコンテンツ情報およびコンテンツ部分情報に基づくＯＳＤ画像を情報処理装置８にて作成させるようにしてもよい。この場合、録画再生装置２ａ，２ｂから送信されたコンテンツ情報およびコンテンツ部分情報は、テレビ受像機１がスルーして情報処理装置８に転送する。情報処理装置８では、送信されたコンテンツ情報およびコンテンツ部分情報を解析して、上記各実施例でテレビ受像機１が生成したＯＳＤ画像４００と同様の操作画像を生成して情報処理装置８の表示画面に表示させる。
【００８４】
そして情報処理装置８に対する操作情報は、テレビ受像機１を介して対応する録画再生装置２ａ，２ｂのいずれかに送信され、その録画再生装置では選択されたコンテンツの再生処理等を実行する。また、情報処理装置８で生成されたＯＳＤ画面は、テレビ受像機１でＯＳＤ表示させるようにしてもよい。
【００８５】
（実施例５）
図１１は、本発明に係る情報出力システムの第５の実施例を説明するための図である。第５の実施例は、表示装置として放送波を受信可能なテレビ受像機１と、情報出力装置として光ディスク４を用いる録画再生装置２とが接続された情報出力システムにおいて、録画再生装置２からの出力以外の例えば放送番組を表示中に、録画再生装置２に光ディスク４が装着されたときにその旨をＯＳＤ表示させるものである。
【００８６】
図１１に示すように、テレビ受像機１では、例えば放送番組の表示画面３００が表示されている。この画面３００に対して、録画再生装置２に光ディスク４が装着され、そのマウントが完了したときに、光ディスク４の録画コンテンツの再生が可能となったことを示すＯＳＤ画像５００を表示させる。ＯＳＤ画像５００には、ディスクが再生可能であることを示す表示５０１、およびコンテンツの部分表示情報５０２が表示される。コンテンツの部分表示情報５０２は、光ディスク４で録画されているコンテンツに含まれる静止画像かまたは動画像サムネイルとすることができる。
【００８７】
録画再生装置２では、光ディスク４が装着されてそのマウントが完了すると、テレビ受像機１でＯＳＤ画像５００を生成させて表示させるための情報を、例えばＸＭＬ，JavaScriptを使用して記述し、テレビ受像機１に送信する。このときの情報送信は、例えばＨＤＭＩケーブルのＨＥＣラインを通して送信される。そしてテレビ受像機１では、録画再生装置２から送信された情報を解析してＯＳＤ画像５００を生成し、現在表示している放送番組などの表示画面３００に重畳させてＯＳＤ表示させる。
【００８８】
ユーザは、ＯＳＤ画像５００を確認して、適宜リモコン等によって録画再生装置２を操作し、光ディスク４の録画コンテンツの再生動作等を実行させることができる。また、他の例では、ＯＳＤ画像５００をユーザ操作が可能なユーザインタフェース画像として構成し、このＯＳＤ画像５００から録画再生装置２に装着された光ディスク４の録画コンテンツの再生処理を実行できるようにしてもよい。再生されたコンテンツは、ＨＤＭＩケーブルであればＴＭＤＳラインを通じて録画再生装置２からテレビ受像機１に送信される。このときに、テレビ受像機１では、録画再生装置２に入力が切り替えられて、表示画面３００に再生コンテンツが表示される。
【００８９】
（実施例６）
図１２および図１３は、本発明に係る情報出力システムの第６の実施例を説明するための図である。第６の実施例は、表示装置として放送波を受信可能なテレビ受像機１と、情報出力装置として光ディスク４を用いる録画再生装置２とが接続された情報出力システムにおいて、録画再生装置２からの出力以外の例えば放送番組を表示中に、録画再生装置２が他の情報処理装置８から例えば写真データを取り込むときに、その取り込みの進捗状況をテレビ受像機１でＯＳＤ表示させるものである。
【００９０】
図１２に示すように、例えばスマートフォンなどの情報処理装置８のカメラ機能にて撮像した写真データを録画再生装置２に転送する。例えば、録画再生装置２では、情報処理装置が所定の方法で接続されたときに、自動的に情報処理装置が保持する写真データを取得する機能を備えることができ、この機能によって写真データの取得が開始される。情報処理装置８と録画再生装置２との通信路９は、例えばＵＳＢケーブルであるが、特に通信方法は限定されない。
【００９１】
また、テレビ受像機１では、放送番組の表示画面３００が表示されている。この画面３００に対して、情報処理装置８から録画再生装置２に対する写真データの取り込みの進捗状況を表すＯＳＤ画像６００を表示させる。ＯＳＤ画像６００には、写真が取り込み中であることを示す表示６０１、および取り込みの進捗を示すプログレスバー６０２が表示される。
【００９２】
録画再生装置２では、情報処理装置８が接続されて写真データの取り込みを開始すると、テレビ受像機１でＯＳＤ画像５００を生成させて表示させるための情報を、例えばＸＭＬ，JavaScriptを使用して記述し、テレビ受像機１に送信する。このときの情報送信は、例えばＨＤＭＩケーブルのＨＥＣラインを通して送信される。そしてテレビ受像機１では、録画再生装置２から送信された情報を解析してＯＳＤ画像６００を生成し、現在表示している放送番組などの表示画面３００に重畳させてＯＳＤ表示させる。ＯＳＤ画像６００のプログレスバー６０２は、録画再生装置２における写真データの取り込みの進捗に合わせて動的に変化させる。
【００９３】
図１３は、録画再生装置で写真データの取り込みが完了したときの表示例を示す図である。録画再生装置２では、情報処理装置８からの写真データの取り込みが完了すると、ＯＳＤ画像６００を表示させるための情報を書き換えて、写真データの取り込みが完了した旨を表示させる。図１３の例では、テレビ受像機１では、ＯＳＤ画像６１０が表示され、そこには、写真データの取り込みが完了したことを示す情報６１１、および写真データの画像６１２が表示される。写真データ６１２の画像は、取り込んだ写真データの最初のデータあるいは最後のデータ等、適宜定めることができる。
【００９４】
上述した各実施例に記載されたように、本発明に係る情報出力システムにおいて、コンテンツやその他の情報を出力する情報出力装置は、表示装置で画像を表示させるための情報を表示装置に出力し、表示装置にてその情報を解析して情報出力装置の意図に従うＯＳＤ表示を行うことができる。このときに表示装置では、表示中の画面の入力切り替えを行う必要なく、情報出力装置から送信された情報に基づくＯＳＤ表示が可能である。ＯＳＤ表示が、コンテンツの再生指示が可能なユーザインタフェース画像の場合には、そのＯＳＤ画像に対してユーザ操作を行うことができる。ユーザ操作に従って、情報出力装置が再生したコンテンツを、あるいは取得したコンテンツを表示装置に送信すると、表示装置では、入力を切り替えてそのコンテンツを表示させることができる。
【００９５】
このような機能を備える情報出力システムは、情報出力装置として上記の例に限定されることなく、例えば、エアコンや冷蔵庫などの家電製品などにも適用できる。例えばエアコンから表示装置に対して、エアコンの動作情報を表示させる情報を送信すれば、表示装置では、表示中の画面の入力切り替えを行うことなく、エアコンの動作情報をＯＳＤ表示させてユーザに認知させることができる。
【符号の説明】
【００９６】
１…テレビ受像機、２…録画再生装置、２ａ，２ｂ…録画再生装置、３…通信路、３ａ，３ｂ…通信路、４…光ディスク、７…クラウド、８…情報処理装置、９…通信路、１０…表示装置、１１…制御部、１２…表示部、１３…操作入力部、１４…情報通信部、１５…映像受信部、１７…イーサネットＩ／Ｆ、２０…情報出力装置、２１…表示情報生成部、２２…表示情報出力部、２３…記録媒体装着部、２４…記録装置、２５…映像再生部、２６…映像出力部、３１…通信路、３２…通信路、１００…ＨＤＭＩレシーバ、１０１ａ〜１０１ｃ…ＨＤＭＩコネクタ、１０１ｄ…スイッチ、１０１ｅ，１０１ｆ…外部入力端子、１０２…ＢＤドライブ、１０３…チューナ、１０４…ＩＰ放送チューナ、１０５…衛星放送チューナ、１０６…ＯＳＤ生成部、１０７…映像セレクタ、１０８…映像処理回路、１０９…ＬＣＤコントローラ、１１０…ＬＣＤ、１１１…音声セレクタ、１１２…音声処理回路、１１３…デジタルアンプ、１１４…スピーカ、１１５…イーサネットＩ／Ｆ、１１６…ＲＯＭ、１１７…ＲＡＭ、１１８…ＣＰＵ、１１９…赤外線受光部、１２０…カメラ、１２１…人感センサ、２０１…アンテナ、２０２…チューナ、２０３…ＨＤＭＩ信号処理部、２０４…制御部、２０５…リモコン受光部、２０６…記憶部、２０７…ＨＤＭＩインタフェース部、２０８…電子番組表取得部、２０９…光ディスクドライブ、２１０…操作部、３００…表示画面、４００…ＯＳＤ画像、４００ａ，４００ｂ…ＯＳＤ画像、４０１…再生ボタン、４０２…リスト表示ボタン、４０３…部分表示情報、４０４…リスト、４１１…ｐｌａｙボタン、４１２…Ｎｅｘｔボタン、４１２ａ…Ｎｅｘｔボタン、４１５…リストボタン、４１５ａ…リストボタン、４１６…部分表示情報、４１６ａ…部分表示情報、４１６ａ，４１６ｂ…部分表示情報、５００…ＯＳＤ画像、５０１…表示、５０２…部分表示情報、６００…ＯＳＤ画像、６０１…表示、６０２…プログレスバー、６１０…ＯＳＤ画像、８００…操作画像、８０１…ｐｌａｙボタン、８０２…Ｎｅｘｔボタン、８０５…リストボタン、８０６…部分表示情報、８０７…ボタン、８０８…ホームボタン、８０９…バックボタン。
【図１】
0005285754.tif 000002
【図２】
0005285754.tif 000003
【図３】
0005285754.tif 000004
【図４】
0005285754.tif 000005
【図５】
0005285754.tif 000006
【図６】
0005285754.tif 000007
【図７】
0005285754.tif 000008
【図８】
0005285754.tif 000009
【図９】
0005285754.tif 000010
【図１０】
0005285754.tif 000011
【図１１】
0005285754.tif 000012
【図１２】
0005285754.tif 000013
【図１３】
0005285754.tif 000014